(57)【要約】【課題】錠剤取出ユニット内で取り出し動作中の錠剤シートに何かしらのエラーが発生したことを簡単にデータベースに登録すること。【解決手段】錠剤取出ユニットが取り出す錠剤シートに関する情報を管理するコンピュータと、錠剤取出ユニットが錠剤シートから取り出した錠剤を包装する包装装置により構成される包装システムにおいて、錠剤取出ユニット内で取出動作中の錠剤シートでエラーが発生したか否かを判断し、発生したと判断した場合に当該エラーに関する情報をコンピュータに送信し、錠剤取出ユニットで取り出しする錠剤シートのエラーデータを記憶しているので、エラーデータとして、送信されたエラーに関する情報を錠剤取出ユニット内で取出動作中の錠剤シートに関する情報に対応づけて登録する。 【選択図】  図９
2018104102.tif 000002
【特許請求の範囲】
【請求項１】
錠剤取出ユニットが取り出す錠剤シートに関する情報を管理するコンピュータと、錠剤取出ユニットが錠剤シートから取り出した錠剤を包装する包装装置により構成される包装システムであって、
前記包装装置は、
前記錠剤取出ユニット内で取出動作中の錠剤シートでエラーが発生したか否かを判断するエラー判断手段と、
前記エラー判断手段が発生したと判断した場合に、当該エラーに関する情報を前記コンピュータに送信する送信手段と、
を備え、
前記コンピュータは、
前記錠剤取出ユニットで取り出しする錠剤シートのエラーデータを記憶する記憶手段と、
前記エラーデータとして、前記送信されたエラーに関する情報を前記錠剤取出ユニット内で取出動作中の錠剤シートに関する情報に対応づけて登録する登録手段と、
を備えることを特徴とする包装システム。
【請求項２】
前記コンピュータは、
前記錠剤取出ユニットで取出動作をする前に、前記錠剤シートに関する情報を受け付ける受付手段と、
前記受け付けた錠剤シートに関する情報が、前記記憶するエラーデータにあるか否かを判断する錠剤シート判断手段と、
錠剤シート判断手段があると判断した場合には、前記受け付けた錠剤シートが前記錠剤取出ユニット内で取出動作中にエラーが発生したことを通知するエラー通知手段と、
をさらに備えることを特徴とする請求項１に記載の包装システム。
【請求項３】
前記コンピュータは、
前記送信されたエラーに関する情報を受信する受信手段と、
前記受信手段が受信した場合に、前記錠剤取出ユニット内で取出動作中の錠剤シートに関する情報が、前記記憶するエラーデータにあるか否かを判断する新規判断手段と、
前記新規判断手段がないと判断した場合には、前記錠剤取出ユニット内で取出動作中の錠剤シートでは初めてエラーが発生したことを通知する新規通知手段と、
をさらに備えることを特徴とする請求項１または請求項２に記載の包装システム。
【請求項４】
前記新規判断手段があると判断した場合には、前記錠剤取出ユニット内で取出動作中の錠剤シートでエラーが発生し履歴を通知する履歴通知手段と、
をさらに備えることを特徴とする請求項３に記載の包装システム。
【請求項５】
前記受信手段が受信した場合に、前記錠剤取出ユニット内で取出動作中の錠剤シートの取出動作を継続するか否かを通知する継続通知手段と、
をさらに備えることを特徴とする請求項３または請求項４に記載の包装システム。
【請求項６】
前記錠剤シートに関する情報は、錠剤シートを特定可能な情報または錠剤シートが収容する錠剤種別であることを特徴とする請求項１乃至請求項５のいずれか１項に記載の包装システム。
【請求項７】
錠剤取出ユニットが取り出す錠剤シートに関する情報を管理するコンピュータと、錠剤取出ユニットが錠剤シートから取り出した錠剤を包装する包装装置により構成される包装システムの制御方法であって、
前記包装装置のエラー判断手段が、前記錠剤取出ユニット内で取出動作中の錠剤シートでエラーが発生したか否かを判断するエラー判断工程と、
前記包装装置の送信手段が、前記エラー判断工程で発生したと判断した場合に、当該エラーに関する情報を前記コンピュータに送信する送信工程と、
を含み、
前記コンピュータは、前記錠剤取出ユニットで取り出しする錠剤シートのエラーデータを記憶する記憶手段を備え、
前記コンピュータの登録手段が、前記エラーデータとして、前記送信されたエラーに関する情報を前記錠剤取出ユニット内で取出動作中の錠剤シートに関する情報に対応づけて登録する登録工程と、
を含むことを特徴とする制御方法。
【請求項８】
錠剤取出ユニットが取り出す錠剤シートに関する情報を管理するコンピュータと、錠剤取出ユニットが錠剤シートから取り出した錠剤を包装する包装装置により構成される包装システムで読み取り実行可能なプログラムであって、
前記包装装置を、
前記錠剤取出ユニット内で取出動作中の錠剤シートでエラーが発生したか否かを判断するエラー判断手段と、
前記エラー判断手段が発生したと判断した場合に、当該エラーに関する情報を前記コンピュータに送信する送信手段と、
して機能させ、
前記コンピュータを、
前記錠剤取出ユニットで取り出しする錠剤シートのエラーデータを記憶する記憶手段と、
前記エラーデータとして、前記送信されたエラーに関する情報を前記錠剤取出ユニット内で取出動作中の錠剤シートに関する情報に対応づけて登録する登録手段と、
して機能させることを特徴とするプログラム。
【請求項９】
錠剤取出ユニットが取り出す錠剤シートに関する情報を管理するコンピュータと、錠剤取出ユニットが錠剤シートから取り出した錠剤を供給する錠剤供給装置により構成される錠剤供給システムであって、
前記錠剤供給装置は、
前記錠剤取出ユニット内で取出動作中の錠剤シートでエラーが発生したか否かを判断するエラー判断手段と、
前記エラー判断手段が発生したと判断した場合に、当該エラーに関する情報を前記コンピュータに送信する送信手段と、
を備え、
前記コンピュータは、
前記錠剤取出ユニットで取り出しする錠剤シートのエラーデータを記憶する記憶手段と、
前記エラーデータとして、前記送信されたエラーに関する情報を前記錠剤取出ユニット内で取出動作中の錠剤シートに関する情報に対応づけて登録する登録手段と、
を備えることを特徴とする錠剤供給システム。
【請求項１０】
錠剤取出ユニットが取り出す錠剤シートに関する情報を管理し、錠剤取出ユニットが錠剤シートから取り出した錠剤を包装する包装装置であって、
前記錠剤取出ユニットで取り出しする錠剤シートのエラーデータを記憶する記憶手段と、
前記錠剤取出ユニット内で取出動作中の錠剤シートでエラーが発生したか否かを判断するエラー判断手段と、
前記エラー判断手段が発生したと判断した場合に、当該エラーに関する情報を発信する発信手段と、
前記エラーデータとして、前記発信されたエラーに関する情報を前記錠剤取出ユニット内で取出動作中の錠剤シートに関する情報に対応づけて登録する登録手段と、
を備えることを特徴とする包装装置。
【請求項１１】
錠剤取出ユニットが取り出す錠剤シートに関する情報を管理し、錠剤取出ユニットが錠剤シートから取り出した錠剤を供給する錠剤供給装置であって、
前記錠剤取出ユニットで取り出しする錠剤シートのエラーデータを記憶する記憶手段と、
前記錠剤取出ユニット内で取出動作中の錠剤シートでエラーが発生したか否かを判断するエラー判断手段と、
前記エラー判断手段が発生したと判断した場合に、当該エラーに関する情報を発信する発信手段と、
前記エラーデータとして、前記発信されたエラーに関する情報を前記錠剤取出ユニット内で取出動作中の錠剤シートに関する情報に対応づけて登録する登録手段と、
を備えることを特徴とする錠剤供給装置。
【請求項１２】
錠剤取出ユニットが錠剤シートから取り出した錠剤を包装する、前記錠剤取出ユニット内で取出動作中の錠剤シートでエラーが発生したか否かを判断するエラー判断手段と、前記エラー判断手段が発生したと判断した場合に、当該エラーに関する情報をコンピュータに送信する送信手段とを備える包装装置と通信可能に接続されて、
錠剤取出ユニットが取り出す錠剤シートに関する情報を管理するコンピュータであって、
前記錠剤取出ユニットで取り出しする錠剤シートのエラーデータを記憶する記憶手段と、
前記エラーデータとして、前記送信されたエラーに関する情報を前記錠剤取出ユニット内で取出動作中の錠剤シートに関する情報に対応づけて登録する登録手段と、
を備えることを特徴とするコンピュータ。
【請求項１３】
錠剤取出ユニットが錠剤シートから取り出した錠剤を供給する、前記錠剤取出ユニット内で取出動作中の錠剤シートでエラーが発生したか否かを判断するエラー判断手段と、前記エラー判断手段が発生したと判断した場合に、当該エラーに関する情報をコンピュータに送信する送信手段とを備える錠剤供給装置と通信可能に接続されて、
錠剤取出ユニットが取り出す錠剤シートに関する情報を管理するコンピュータであって、
前記錠剤取出ユニットで取り出しする錠剤シートのエラーデータを記憶する記憶手段と、
前記エラーデータとして、前記送信されたエラーに関する情報を前記錠剤取出ユニット内で取出動作中の錠剤シートに関する情報に対応づけて登録する登録手段と、
を備えることを特徴とするコンピュータ。
【請求項１４】
前記包装システムは、複数の錠剤取出ユニットを具備し、
前記包装装置は、
前記複数の錠剤取出ユニットの中で何れかの錠剤取出ユニットで取出動作中の錠剤シートでエラーが発生したか否かを判断する第２のエラー判断手段と、
前記第２のエラー判断手段が発生したと判断した場合に、前記エラーが発生した錠剤取出ユニットを識別する番号を前記コンピュータに送信する第２の送信手段と、
を備え、
前記コンピュータは、
前記錠剤取出ユニットで取り出しする錠剤シートの第２のエラーデータを記憶する第２の記憶手段と、
前記第２のエラーデータとして、前記送信された錠剤取出ユニットを識別する番号を前記エラーが発生した錠剤取出ユニット内で取出動作中の錠剤シートに関する情報に対応づけて登録する第２の登録手段と、
を備えることを特徴とする請求項１乃至請求項６のいずれか１項に記載の包装システム。
【請求項１５】
前記錠剤供給システムは、複数の錠剤取出ユニットを具備し、
前記錠剤供給装置は、
前記複数の錠剤取出ユニットの中で何れかの錠剤取出ユニットで取出動作中の錠剤シートでエラーが発生したか否かを判断する第２のエラー判断手段と、
前記第２のエラー判断手段が発生したと判断した場合に、前記エラーが発生した錠剤取出ユニットを識別する番号を前記コンピュータに送信する第２の送信手段と、
を備え、
前記コンピュータは、
前記錠剤取出ユニットで取り出しする錠剤シートの第２のエラーデータを記憶する第２の記憶手段と、
前記第２のエラーデータとして、前記送信された錠剤取出ユニットを識別する番号を前記エラーが発生した錠剤取出ユニット内で取出動作中の錠剤シートに関する情報に対応づけて登録する第２の登録手段と、
を備えることを特徴とする請求項９に記載の錠剤供給システム。
【請求項１６】
前記包装装置は、複数の錠剤取出ユニットを具備し、
前記錠剤取出ユニットで取り出しする錠剤シートの第２のエラーデータを記憶する第２の記憶手段と、
前記複数の錠剤取出ユニットの中で何れかの錠剤取出ユニットで取出動作中の錠剤シートでエラーが発生したか否かを判断する第２のエラー判断手段と、
前記第２のエラー判断手段が発生したと判断した場合に、前記エラーが発生した錠剤取出ユニットを識別する番号を発信する第２の発信手段と、
前記第２のエラーデータとして、前記発信された錠剤取出ユニットを識別する番号を前記エラーが発生した錠剤取出ユニット内で取出動作中の錠剤シートに関する情報に対応づけて登録する第２の登録手段と、
を備えることを特徴とする請求項１０に記載の包装装置。
【請求項１７】
前記錠剤供給装置は、複数の錠剤取出ユニットを具備し、
前記錠剤取出ユニットで取り出しする錠剤シートの第２のエラーデータを記憶する第２の記憶手段と、
前記複数の錠剤取出ユニットの中で何れかの錠剤取出ユニットで取出動作中の錠剤シートでエラーが発生したか否かを判断する第２のエラー判断手段と、
前記第２のエラー判断手段が発生したと判断した場合に、前記エラーが発生した錠剤取出ユニットを識別する番号を発信する第２の発信手段と、
前記第２のエラーデータとして、前記発信された錠剤取出ユニットを識別する番号を前記エラーが発生した錠剤取出ユニット内で取出動作中の錠剤シートに関する情報に対応づけて登録する第２の登録手段と、
を備えることを特徴とする請求項１１に記載の錠剤供給装置。
【発明の詳細な説明】
【技術分野】
【０００１】
本発明は、包装システム、錠剤供給システム、包装装置、錠剤供給装置、及びその制御方法とプログラムの技術に関する。
【背景技術】
【０００２】
これまでの調剤業務では、錠剤シートで提供されている錠剤（薬）や散薬を一包化する際に、人の手によって錠剤シートから錠剤を取り出し、１回分ごとに錠剤を分包機へセットする必要であるため、作業が煩雑であるという問題があった。
【０００３】
特許文献１には錠剤シートから取り出した錠剤の過剰落下を検知した場合にエラー処理を実行する技術は開示されているが、同じ錠剤シートでエラーが再発する時の対策方法ではない。
このように同じ錠剤シートでエラーが再発することを想定した場合、エラーが発生した錠剤シートが適切に管理されることが望ましい。
【先行技術文献】
【特許文献】
【０００４】
【特許文献１】特開２０１３−１５８３５６号公報
【発明の概要】
【発明が解決しようとする課題】
【０００５】
本発明は、錠剤取出ユニット内で取り出し動作中の錠剤シートに何かしらのエラーが発生したことを簡単にデータベースに登録することが可能な仕組みを提供することを目的とする。
【課題を解決するための手段】
【０００６】
本発明は、錠剤取出ユニットが取り出す錠剤シートに関する情報を管理するコンピュータと、錠剤取出ユニットが錠剤シートから取り出した錠剤を包装する包装装置により構成される包装システムであって、前記包装装置は、前記錠剤取出ユニット内で取出動作中の錠剤シートでエラーが発生したか否かを判断するエラー判断手段と、前記エラー判断手段が発生したと判断した場合に、当該エラーに関する情報を前記コンピュータに送信する送信手段と、を備え、前記コンピュータは、前記錠剤取出ユニットで取り出しする錠剤シートのエラーデータを記憶する記憶手段と、前記エラーデータとして、前記送信されたエラーに関する情報を前記錠剤取出ユニット内で取出動作中の錠剤シートに関する情報に対応づけて登録する登録手段と、を備えることを特徴とする。
【０００７】
また、前記コンピュータは、前記錠剤取出ユニットで取出動作をする前に、前記錠剤シートに関する情報を受け付ける受付手段と、前記受け付けた錠剤シートに関する情報が、前記記憶するエラーデータにあるか否かを判断する錠剤シート判断手段と、錠剤シート判断手段があると判断した場合には、前記受け付けた錠剤シートが前記錠剤取出ユニット内で取出動作中にエラーが発生したことを通知するエラー通知手段と、をさらに備えることを特徴とする。
【０００８】
また、前記コンピュータは、前記送信されたエラーに関する情報を受信する受信手段と、前記受信手段が受信した場合に、前記錠剤取出ユニット内で取出動作中の錠剤シートに関する情報が、前記記憶するエラーデータにあるか否かを判断する新規判断手段と、前記新規判断手段がないと判断した場合には、前記錠剤取出ユニット内で取出動作中の錠剤シートでは初めてエラーが発生したことを通知する新規通知手段と、をさらに備えることを特徴とする。
【０００９】
また、前記新規判断手段があると判断した場合には、前記錠剤取出ユニット内で取出動作中の錠剤シートでエラーが発生し履歴を通知する履歴通知手段と、をさらに備えることを特徴とする。
【００１０】
また、前記受信手段が受信した場合に、前記錠剤取出ユニット内で取出動作中の錠剤シートの取出動作を継続するか否かを通知する継続通知手段と、をさらに備えることを特徴とする。
また、前記錠剤シートに関する情報は、錠剤シートを特定可能な情報または錠剤シートが収容する錠剤種別であることを特徴とする。
【発明の効果】
【００１１】
本発明により、錠剤取出ユニット内で取り出し動作中の錠剤シートに何かしらのエラーが発生したことを簡単にデータベースに登録することが可能な仕組みを提供することが可能となる。
【図面の簡単な説明】
【００１２】
【図１】本発明の錠剤供給装置と包装装置を組み合わせた包装システムの外観を示す図である。
【図２】本発明の錠剤取出ユニットの内部構造を示す図である。
【図３】本発明の錠剤供給装置の内部構造を示す図である。
【図４】本発明の包装装置の内部構造を示す図である。
【図５】本発明の錠剤供給システムのハードウェア構成の一例についてブロック図である。
【図６】本発明のユーザが処方内容を情報処理装置に入力完了するまでのフローチャートである。
【図７】本発明のユーザが分包動作を開始させてから終了するまでの一連のフローチャートである。
【図８】本発明のする図７の一部の処理を関数化したものであり、錠剤取出ユニット１のエラーをチェックする処理のフローチャートである。
【図９】本発明の薬品マスタのデータベース内容を示す図である。
【図１０】本発明の確認画面の１例を示す図である。
【図１１】本発明の新規エラー画面の１例を示す図である。
【図１２】本発明の再発生エラー画面の１例を示す図である。
【図１３】本発明の処方編集画面（当初設定時）の１例を示す図である。
【図１４】本発明の錠剤供給装置の内部構造を示す図である。
【図１５】本発明の薬品マスタのデータベース内容（変形例）を示す図である。
【図１６】本発明の処方編集画面（ユニット番号変更後）の１例を示す図である。
【発明を実施するための形態】
【００１３】
図１は、包装装置５と錠剤供給装置１０を含む錠剤供給システム（または包装システム）を示す図である。包装装置５は、薬剤分包装置や分包装置ともいう。また錠剤供給装置１０は錠剤取出装置ともいう。
【００１４】
包装システムにより、錠剤供給装置１０から自動供給された錠剤４８を包装装置５で分包することができる。さらに、包装装置５により、手撒きユニット（錠剤マス）から手撒きで供給された錠剤４８を分包することもできる。
図１は、錠剤供給装置１０、及び錠剤供給装置１０から供給された錠剤を包装する包装装置５を含む錠剤供給システムを示す図である。
【００１５】
錠剤取出ユニット１は、錠剤シートから錠剤４８を取り出すユニットである。錠剤シート４９は一般的にはＰＴＰシートと呼ばれており、錠剤シートのことをＰＴＰシートとも言う。
【００１６】
錠剤供給装置１０には複数の錠剤取出ユニット１が収納されている。錠剤取出ユニット１は、幅方向（左右方向）に６つが並べられ、この６つの錠剤取出ユニット１からなる組が上下に３段に配置されている。すなわち、錠剤取出ユニット１は、左右６列、上下３段に配列されている。
錠剤供給装置１０は複数の錠剤取出ユニット１を備えているが、錠剤取出ユニット１の数は１個でもよい。
包装装置５は、錠剤供給装置１０の錠剤取出ユニット１から供給された錠剤４８を包装する装置である。
【００１７】
散薬投入部１０３は分包される散薬が投入される部である。また、散薬投入部１０３に投入された散薬を投薬１回分に分け、分けられた１回分の散薬は後述するメインホッパ６０５に入れられ、１回分ずつに分包される。
錠剤供給装置１０は１個または複数個の錠剤取出ユニット１を備えている。
【００１８】
錠剤供給装置１０は、錠剤取出ユニット１により、１又は複数の錠剤４８がそれぞれ錠剤収容部４７に封入された錠剤シートから錠剤４８を取り出して包装装置５に供給する。
情報処理装置３００は、錠剤供給装置１０及び包装装置５の外部に設けられており、錠剤供給装置１０及び包装装置５と通信可能に接続されている。
【００１９】
情報処理装置３００はパーソナルコンピュータやタブレット端末が用いられ、無線または有線接続されて錠剤供給装置１０及び包装装置５と通信している。主に錠剤取出ユニット１が取り出す錠剤シートに関する情報を、薬品マスタを用いて管理している。
図２（ａ）、図２（ｂ）を用いて、錠剤取出ユニット１の内部構造について説明する。
【００２０】
図２（ａ）は、錠剤取出ユニット１の内部構造を示す図であり、錠剤取出ユニット１を正面側から見た図である。なお、図２（ａ）は、錠剤取出ユニット１が２つ横に並んでいる図を示している。
【００２１】
錠剤取出ユニット１は、錠剤シート４９を搬送する錠剤シート搬送機構１６と、搬送機構により搬送された錠剤シート４９が載置される載置台１８と、載置台１８上の錠剤シート４９の錠剤収容部４７を押圧して錠剤４８を取り出す錠剤取出機構１５とを有している。
【００２２】
錠剤シート４９は、錠剤４８を収容する錠剤収容部４７を有するシート本体の下面に、アルミニウム等からなる金属箔などを用いた封止シートを設けることによって錠剤４８が錠剤収容部４７に密封されたものである。
【００２３】
錠剤シート４９は、シート部上に凸状の錠剤収容部４７が幅方向に間隔をおいて２列に並んだ形態である。各列をなす複数の錠剤収容部は錠剤シート４９の長さ方向に沿って並んでいる。
図２（ｂ）を用いて、錠剤取出ユニット１の内部構造について更に説明する。
【００２４】
図２（ｂ）は、錠剤取出ユニット１の内部構造（断面）を示す図であり、錠剤シート４９の投入口２０３に錠剤シート４９をセットし、錠剤シート４９を取出位置（錠剤４８の取出位置）まで搬送を行った際の図である。
【００２５】
錠剤取出ユニット１は、錠剤シート４９を搬送する錠剤シート搬送機構１６と、錠剤シート４９が載置される載置台１８と、錠剤シート４９から錠剤４８を取り出す錠剤取出機構１５（押出し機構）とを備えている。
【００２６】
錠剤シート搬送機構１６は、錠剤シート４９を進行方向に向け搬送するものであって、進行方向に互いに間隔をおいて設けられた下部ローラ３８、下部ローラ３９と、進行方向に互いに間隔をおいて設けられた上部ローラとを備えている。
【００２７】
錠剤シート搬送機構は、錠剤収容部の押圧を継続する前に載置台１８上の押圧される位置から所定の距離だけ錠剤シート４９をさらに搬送して、押出し機構が錠剤収容部を押圧する。
下部ローラ３９は、駆動源により回転駆動可能であり、錠剤シート４９の下面に当接して錠剤シート４９に進行方法への力を加えることができる。
上部ローラは、駆動源により回転駆動可能であり、錠剤シート４９の上面に当接して錠剤シート４９に進行方向への力を加えることができる。
上部ローラの幅方向の位置は、２列の錠剤収容部の間に相当する位置であるため、上部ローラは錠剤収容部に当接することはない。
【００２８】
下部ローラ３９と上部ローラは、錠剤シート４９を上下から挟み込んで錠剤シート４９を進行方向に搬送できる。さらに、下部ローラ３９と上部ローラは錠剤シート４９を上下から挟み込んで錠剤シート４９を進行方向とは逆の方向にも搬送することができる。
【００２９】
導入シュート２４は、載置台の下面側に設けられており、錠剤シート４９から取り出された錠剤４８を、後述する錠剤導入路４０１に導くものである。すなわち、導入シュート２４は、載置台の下面側に排出口を有しており、錠剤シート４９から取り出された錠剤４８は、その排出口を通り、後述する錠剤導入路４０１に落ちていく。
なお、この導入シュート２４は、錠剤取出ホッパとも言う。
錠剤取出機構１５は、錠剤収容部の中央付近を押圧する内側押圧体８３と、中央付近よりも外側の部分を押圧する外部押圧体８４とを含んでいる。
内側押圧体８３と外部押圧体８４とが独立して動作することで錠剤シート４９の錠剤収容部４７を押圧して、錠剤シート４９から錠剤４８を取り出す。
錠剤取出機構１５は、内側押圧体８３よりも先に外部押圧体８４により錠剤収容部を押圧させる。
【００３０】
内側押圧体８３の先端は、ほとんどの錠剤シート４９の錠剤収容部よりも面積が狭いので、内側押圧体８３は錠剤４８を取り出す場合（下降した場合）に、錠剤シート４９に開いた穴から先端が突き出る。
【００３１】
外部押圧体８４の先端は、ほとんどの錠剤シート４９の錠剤収容部よりも面積が広いので、錠剤４８を取り出す場合（下降した場合）に、錠剤シート４９に開いた穴から先端が突き出ない。つまり、錠剤シート４９の錠剤収容部を押し潰すためのものである。
錠剤取出機構１５は、外部押圧体８４を昇降させる第１昇降機構と、内側押圧体８３を昇降させる第２昇降機構とを有する。
【００３２】
第１昇降機構は、外部押圧体８４が取り付けられた第１昇降体９３と、回転駆動して第１昇降体９３を昇降させるカム９４と、第１昇降体９３を上昇方向に付勢する付勢部材（ばね）とを備えている。
【００３３】
第１昇降体９３は、前後方向にわたって延在する柱状体であり、前端部に外部押圧体８４が取り付けられている。カム９４は、外部押圧体８４の昇降動作を考慮して設計された形状の板状体であり、駆動機構によって回転駆動する軸部に固定されている。
【００３４】
カム９４は、第１昇降体９３の上面側に設けられ、軸部の回転に伴って回転駆動し、第１昇降体９３を押圧することによって高さ位置を調整し、これによって外部押圧体８４の高さ位置を調整する（外部押圧体８４の昇降動作を行う）ことができる。第１昇降機構は、カムの回転動作のタイミング、カムの形状、軸部に対するカムの固定位置などの設定によって、外部押圧体８４の昇降動作のタイミングや変位量を任意に設定できる。
【００３５】
第２昇降機構は、内側押圧体８３が取り付けられた第２昇降体９８と、回転駆動して第２昇降体９８を昇降させるカム９９と、第２昇降体９８を上昇方向に付勢する付勢部材（ばね）とを備えている。
【００３６】
第２昇降体９８は、前後方向にわたって延在する柱状体であり、前端部に内側押圧体８３が取り付けられている。カム９９は、第２昇降体９８の上面側に設けられ、軸部の回転に伴って回転駆動し、第２昇降体９８を押圧して高さ位置を調整し、これによって内側押圧体８３の高さ位置を調整する（内側押圧体８３の昇降動作を行う）ことができる。第２昇降機構は、カム９９の回転動作のタイミング、カムの形状、軸部に対するカムの固定位置などの設定によって、内側押圧体８３の昇降動作のタイミングや変位量を任意に設定できる。
【００３７】
このため、カム９４とカム９９は、それぞれ第１昇降体と第２昇降体に対して互いに独立に動作可能であり、内側押圧体８３と外部押圧体８４は、互いに独立に昇降動作させることができる。
【００３８】
錠剤取出機構１５における２つのカムの回転動作のタイミング等は、錠剤位置検出機構１７の検出部からの信号に基づいて定めることができる。具体的には、検出された錠剤収容部の位置に合わせて内側押圧体８３と外部押圧体８４を動作させることができる。
錠剤取出ユニット１は、錠剤シート４９の錠剤収容部の押圧をする前に、押圧される錠剤収容部の長さを検出する錠剤位置検出機構１７をさらに有している。
錠剤供給装置１０は、検出した錠剤収容部の長さに基づいて、取出位置までの錠剤シート４９の搬送距離を算出する算出手段をさらに有している。
錠剤位置検出機構１７は、押圧される錠剤収容部の長さを検出するとともに押圧される錠剤収容部の位置をさらに検出する。
【００３９】
錠剤供給装置１０は、検出された錠剤シート４９の錠剤収容部の位置に基づいて、取出位置までの錠剤シート４９の搬送距離を算出する算出手段をさらに有している。
【００４０】
錠剤シート搬送機構１６（下部ローラ３９、上部ローラ）は、算出された搬送距離により載置台１８上の錠剤収容部が押圧される位置まで錠剤シート４９を搬送する。
図３を用いて、錠剤供給装置１０が備える各構成について説明する。
図３は、錠剤供給装置１０の内部を横（正面から見て右側）から見た図である。
図３に示す点線の矢印は、錠剤取出ユニット１から取り出された錠剤４８の移動経路を示している。
【００４１】
４０１は錠剤導入路である。錠剤導入路４０１は、導入シュート２４と導通しており、錠剤シート４９から取り出され落下した錠剤４８を導入シュート２４から第１集積ホッパに中継する。
【００４２】
４０２は第１集積ホッパである。第１集積ホッパ４０２は、錠剤取出ユニット１により、錠剤シート４９から取り出された錠剤４８が導入シュート２４を落下して通り、そして、導入シュート２４から錠剤導入路４０１を通り、この錠剤４８が集積される部である。
６０１は第２集積ホッパである。第２集積ホッパ６０１は、第１集積ホッパ４０２で集積された錠剤４８をさらに集積する。
【００４３】
すなわち、第２集積ホッパ６０１は、第１集積ホッパ４０２と導通している。そのため、第１集積ホッパ４０２に落ちてきた錠剤４８は、第２集積ホッパ６０１に落ちて集積される。
６０２は第１の送り出し機構である。第１の送り出し機構６０２は、第２集積ホッパに集積された錠剤４８を第３の集積ホッパに移動させる。
６０３は第３集積ホッパである。第３集積ホッパ６０３は、第１の送り出し機構６０２により送り出（移動）された錠剤４８を集積する。
６０４は第２の送り出し機構である。第２の送り出し機構６０４は、第３集積ホッパに集積された錠剤４８をメインホッパに移動させる。
８０１は排出路である。取出後の錠剤シート４９は、排出路８０１を通って、排出路８０１と導通している排出ポケットに集積される。
【００４４】
８０２は排出ポケット（廃棄ボックス）であり、錠剤取出ユニット１から排出された錠剤シート４９が排出路８０１を通って集合する部分である。装置前面で開口しており、排出された錠剤シート４９を容易に取り出すことができる。
図４を用いて、包装装置５内の包装ユニット７０１の内部構造について説明する。
包装ユニット７０１により投薬１回分の錠剤４８が分包される。
【００４５】
メインホッパ６０５は、錠剤取出ユニット１により取り出され、錠剤導入路４０１を通過した錠剤４８（１回分）を集積し、包装シート（分包紙）の中に集積した錠剤４８を投入する。
ロール紙送出機構７０２は包装シートが連なるロール紙（分包紙がロール状になっている紙）を包装機構に送り出す。
【００４６】
包装機構７０３はメインホッパ６０５内に集積された錠剤４８（１回分の錠剤）が包装シートの中に投入され、当該包装シートを加熱し溶着することにより、包装シートの中に投入された錠剤４８を包装シートの中に封入する。
【００４７】
包装機構７０４は、メインホッパ６０５内に集積された錠剤４８が包装シートの中に投入され、この包装シートを加熱し溶着することにより、包装シートの中に投入された錠剤４８を包装シートの中に封入する。
すなわち、包装機構７０３と包装機構７０４とで包装シートを加熱し溶着することにより、包装シートの中に投入された錠剤４８を包装シートの中に封入する。
分断機構７０５は、連なるロール紙を１包毎の包装シートに分断するための分断用ミシン目を包装シートに形成する。
印字機構７０６はプリンタであり、包装シートに日付、患者データ、エラー情報を印字する。
図５を説明する。
【００４８】
図５は、錠剤供給システムのハードウェア構成の一例についてブロック図を用いて説明する。ここでは、情報処理装置３００のＣＰＵ３０と、包装装置５のＣＰＵ５１と、錠剤供給装置１０のＣＰＵ１１とがそれぞれ連携して、包装装置５が制御する各装置（各ユニット）、及び、錠剤供給装置１０が制御する各装置（各ユニット）の各種動作を制御している一例を示している。しかし１つのＣＰＵが、錠剤供給システムの全ての各装置を制御する構成でも構わない。また、ここでは錠剤供給装置１０にＣＰＵが１つ設けられている状態を図示しているが、錠剤取出ユニット１ごとにＣＰＵを設けてもよいし、錠剤取出ユニット１の段ごとにＣＰＵを設けてもよい。
【００４９】
まず情報処理装置３００のハードウェア構成について説明する。情報処理装置３００のＣＰＵ３０は、システムバスに接続される各デバイスやコントローラを統括的に制御することができる。また、ＲＯＭ３１あるいは外部メモリ３６には、ＣＰＵ３０の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３は、ＣＰＵ３０の主メモリ、ワークエリア等として機能する。ＣＰＵ３０は、処理の実行に際して必要なプログラム等をＲＡＭ３３にロードして、プログラムを実行することで各種動作を実現するものである。
【００５０】
また、ＣＰＵ３０は、キーボードや不図示のマウス等の入力端末３５からの入力を制御する。ビデオコントローラ（ＶＣ）は、ディスプレイ３４等の表示器への表示を制御することもでき、さらに、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク或いはＰＣＭＣＩＡカードスロットにアダプタを介して接続されるコンパクトフラッシュ（登録商標）等の外部メモリ３６へのアクセスを制御することもできる。
またＩ／Ｆ３２は、ネットワークを介して外部機器と接続・通信するものであり、本実施形態においては包装装置５のＩ／Ｆ５０と通信可能に接続されている。
【００５１】
次に、包装装置５のハードウェア構成について説明する。包装装置５のＣＰＵ５１は、バスに接続されている各デバイスを統括的に制御することができる。ＲＯＭ５２にはＣＰＵ５１の制御ブログラムや各種制御プログラムが記憶されている。ＲＡＭ５３は、ＣＰＵ５１が動作するためのシステムワークメモリとして機能する。ＣＰＵ５１は、タッチパネル式のディスプレイ５０１に対して表示制御したり、ディスプレイ５０１のタッチパネル機能を入力端末５０２としてユーザから情報の入力を受け付けたり、プリンタ７０６に印刷指示を出したりすることもできる。さらにＣＰＵ５１は、包装装置５の散薬投入部１０３から投入された散薬を１包に包装する際に動作させる散薬分包機構５５を制御したり、ユーザから手撒き投入部に手撒きされた錠剤を包装する際に動作させる手撒き投入機構５６を制御したりすることができる。そして包装装置５と錠剤供給装置１０とは、包装装置５のＩ／Ｏ５４と錠剤供給装置１０のＩ／Ｏ１２とで通信可能に接続されている。
【００５２】
次に、錠剤供給装置１０のハードウェア構成について説明する。錠剤供給装置１０のＣＰＵ１１は、バスに接続されている各デバイスを統括的に制御することができる。ＲＯＭ１４にはＣＰＵ１１の制御ブログラムや各種制御プログラムが記憶されている。ＲＡＭ１３は、ＣＰＵ１１が動作するためのシステムワークメモリとして機能する。ＣＰＵ１１は、さらに錠剤取出機構１５における取出動作を制御したり、錠剤シート４９を搬送する錠剤シート搬送機構１６を制御したりすることもできる。
【００５３】
このようなハードウェア構成においては、以下のように錠剤取出を行うように制御することができる。まず包装装置５のＣＰＵ５１が、錠剤供給装置１０のＣＰＵ１１に対して、錠剤の取出動作命令を送信する。そして、錠剤供給装置１０のＣＰＵ１１が、当該取出動作命令に従って、錠剤取出機構１５や錠剤シート搬送機構１６を制御して錠剤取出動作を行わせることができる。また、錠剤供給装置１０のＣＰＵ１１は、包装装置５のＣＰＵ５１に対して、錠剤取出動作の状況を示す動作情報を送信することもできる。
図６を説明する。
図６は、ユーザが処方内容を情報処理装置に入力完了するまでのフローチャートである。
【００５４】
ステップＳ５００１では、ユーザは処方内容を入力するために情報処理装置上の処方編集画面を表示して用法、包数、等の処方内容を入力する。次に、ユーザは錠剤取出ユニット１の設定を行うため、錠剤取出ユニット１の設定画面を表示させる。
ステップＳ５００２では、情報処理装置３００は錠剤取出ユニット１の設定画面（図１３）を表示する。
ステップＳ５００３では、ユーザは情報処理装置上の錠剤取出ユニット１を選択する。
【００５５】
ステップＳ５００４では、ユーザは選択した錠剤取出ユニット１に対して、薬品名を選択する。このときに、情報処理装置３００は錠剤取出ユニットで取出動作をするためのスタート指示を受け付ける前に、錠剤シートに関する情報を受け付けている（受付手段）。なお、錠剤シートに関する情報とは、錠剤シートを特定可能な情報または錠剤シートが収容する錠剤種別であればよく、例えば錠剤シートの薬品名称や錠剤の薬品名称でもよく、錠剤シートの管理番号や錠剤の管理番号でもよい。なお、この時に錠剤シートに関する情報を受け付ける方法は、ユーザの操作により一覧の中から選択させてもよく、錠剤シートの管理番号や錠剤の管理番号を図示しないバーコード読み取り機構等を用いて読み取らせてもよい。
【００５６】
ステップＳ５００５では、選択された薬品名をデータベース内より検索しいずれかの項目のカウント数をチェックする。カウント数が１以上の場合、エラーありと判断する。
【００５７】
ステップＳ５００６は、チェックの結果、いずれかの項目についてエラーありの場合、ステップＳ５００７へ遷移する。そうでない場合（エラーなし）、ステップＳ５０１０へ遷移する。つまりここでは、ステップＳ５００４で受け付けた錠剤シートに関する情報が、図９のように記憶しているエラーデータを参照して、エラーデータ内にあるか否かを判断している（錠剤シート判断手段）。
ステップＳ５００７では、確認画面（図１０）を表示する。
ステップＳ５００８はユーザが確認画面（図１０）上のボタンを選択するステップである。
【００５８】
ステップＳ５００９は、ユーザ操作にてはいボタンが選択されたかチェックするステップである。はいボタン５４０１が選択された場合、ステップＳ５０１１へ遷移する。それ以外の場合はステップＳ５０１３へ遷移する。
【００５９】
ステップＳ５０１３は、ユーザ操作にていいえ（手撒き）ボタン５４０２が選択されたかチェックするステップである。ボタン５４０２が選択された場合、ステップＳ５０１０へ遷移する。それ以外の場合はステップＳ５０１４へ遷移する。  
【００６０】
ステップＳ５０１０は錠剤取出ユニットからの錠剤供給のの設定をキャンセルするステップである。この場合、設定した錠剤は手撒き（錠剤マス）からの供給する設定に自動で振り替えられる。
【００６１】
ステップＳ５０１４は、ユーザ操作にていいえ（ユニット変更）ボタン５４０４が選択されたかチェックするステップである。ボタン５４０４が選択された場合、ステップＳ５０１５へ遷移する。それ以外の場合はステップＳ５００８に戻る。
【００６２】
ステップＳ５０１５は錠剤取出ユニットの１番からの錠剤供給の設定を、同じＰＴＰシートでは同じエラーが発生していない別の錠剤取出ユニットからの設定に自動で振り替えられる。
【００６３】
つまりここでは、図１５のデータベースを参照して、Ｓ５００４で設定した薬品名と薬品名（錠剤種別）が一致する欄で、値が０である錠剤取出ユニットの番号を検索していることになる。
値が０である錠剤取出ユニットの番号を検索すると、代わりに設定する錠剤取出ユニットの番号として自動で振り替えてもよい。
ステップＳ５０１１は錠剤取出ユニット１へ薬品名の確定を行う。例として図１３のようになる。
ステップＳ５０１２はユーザが入力した処方内容を確定するステップである。
図７を説明する。
図７は、ユーザが分包動作を開始させてから、終了するまでの一連のフローチャートである。
ステップＳ５１０１はユーザが情報処理画面上より、包装装置５の分包動作を開始させるステップである。
ステップＳ５１０２は情報処理装置が、包装装置５に対して包装開始コマンド（スタート）を送信するステップである。
ステップＳ５１０３は包装装置５が情報処理装置の包装開始コマンドおよび処方内容を受けて、実際の包装動作を開始させるステップである。
ステップＳ５１０４は錠剤取出ユニット１にエラーが無いかをチェックするステップである。
【００６４】
ステップＳ５１０５はエラーチェックでエラーが発生しているかどうかの判断ステップである。エラーがある場合、ステップＳ５１０６へ遷移する。エラーがない場合、ステップＳ５１０８へ遷移する。
ステップＳ５１０６は包装装置５および錠剤取出ユニット１の動作を一時停止させるステップである。
【００６５】
ステップＳ５１０７は、情報処理装置に対して、エラーチェックの内容のエラーコマンドを送信するステップである。ここでは、ステップＳ５２０１、ステップＳ５２０３、ステップＳ５２０５においてエラーが発生したと判断した場合に、各エラーに関する情報（例えばエラーコマンド）を情報処理装置３００に送信している（送信手段）。情報処理装置３００は、この時送信されたエラーに関する情報を受信している（受信手段）。
【００６６】
さらにここでは、多数の錠剤取出ユニット（例えば１番から１２番）の中でエラーが発生した錠剤取出ユニットを識別可能な番号も、情報処理装置に送信している。例えば、錠剤取出ユニットの番号１で錠剤過多エラーが発生した場合、錠剤取出ユニットの番号とエラー種別を送ることになる。
【００６７】
ステップＳ５１０８は、包装装置５が指示した処方内容の分包動作が完了したかどうかをチェックするステップである。分包動作が全て完了している場合終了処理へ遷移する。それ以外の場合ステップＳ５１０４へ遷移する。
【００６８】
ステップＳ５１０９は、情報処理装置はエラーコマンドの内容を解釈して、保存されている処方内容の錠剤取出ユニット１および錠剤シートに関する情報を元に、情報処理装置内のデータベース（図）内を錠剤シートに関する情報を元に検索して、それぞれの項目のカウント数が全て０（過去にエラーが無く新規エラー判断）である場合、新規エラーと判定するステップである。新規エラーの場合、ステップＳ５１１０へ遷移する。そうでない場合（過去にエラーあり）、ステップＳ５１１２へ遷移する。
【００６９】
ステップＳ５１０７で受信手段が受信した場合には、錠剤取出ユニット１内で取出動作中の錠剤シートに関する情報が、記憶するエラーデータにあるか否かを判断している（新規判断手段）。
【００７０】
ステップＳ５１１０は、ステップＳ５１０９の判定結果により、薬品名に対応するデータベース内の対応する項目のカウントを＋１にするステップである。つまりここで、エラーデータとして、ステップＳ５１０７で送信されたエラーに関する情報を錠剤取出ユニット１内で取出動作中の錠剤シートに関する情報に対応づけて登録している（第１の登録手段）。
さらにここではＳ５１０７において送信された錠剤取出ユニットの番号とエラー種別を、図１５に示したデータベースに新規登録（１回目）している。  ステップＳ５１１１は新規エラー画面（図１１）を表示するステップである。
【００７１】
ステップＳ５１１２は、ステップＳ５１０９より、薬品名に対応するデータベース内の対応する項目のカウントを＋１にするステップである。つまりここで、エラーデータとして、ステップＳ５１０７で送信されたエラーに関する情報を錠剤取出ユニット１内で取出動作中の錠剤シートに関する情報に対応づけて登録している（登録手段）。
【００７２】
さらにここではＳ５１０７において送信された錠剤取出ユニットの番号とエラー種別を、図１５に示したデータベースに追加登録（＋１のカウントアップ）している。
ステップＳ５１１３は、再発生エラー画面（図１２）を表示するステップである。
ステップＳ５１１４は、各エラー画面（図１１および図１２）のボタンをユーザが選択するステップである。
【００７３】
ステップＳ５１１５は、各エラー画面（図１１および図１２）でユーザが選択したボタンの内容に従ったコマンドを情報処理装置から包装装置５に送信するステップである。はいボタンが選択された場合、継続するための分包再開コマンドを送信する。いいえボタンが選択された場合、一旦中止して、錠剤取出ユニット１の錠剤シートを手撒き錠剤として設定し、動作させるコマンドを送信する。ステップＳ５１１６へ遷移する。
ステップＳ５１１６は、ステップＳ５１１５のコマンドを受けて分包動作を再開する。その後、ステップＳ５１０４へ遷移する。
図８を説明する。
図８は、図７の一部の処理を関数化したものであり、錠剤取出ユニット１のエラーをチェックする処理である。
【００７４】
ステップＳ５２０１は投入した錠剤シートが搬送経路内で詰まってしまっているかのチェックをするステップである。詰まっている場合はステップＳ５２０２へ遷移する。そうでない場合はステップＳ５２０３へ遷移する。つまり、ここでは錠剤取出ユニット１内で取出動作中の錠剤シートでエラーが発生したか否かを判断している（第１のエラー判断手段）。
【００７５】
ステップＳ５２０２はエラー情報にシート詰まりエラーを登録するステップである。ここで、シート詰まりエラーとは、取出動作時の錠剤シート投入口にある錠剤シートを取出位置まで搬送する動作の中で、錠剤シートのたわみによる錠剤シート搬送経路内での詰まりにより、錠剤シートの錠剤収容部を検出する錠剤位置検出機構１７の反応が１秒以上続いている（錠剤シートが動いていない）場合に、錠剤シートが詰まっていると判断する。包装装置は錠剤取出ユニット１のエラーを検出すると、包装動作を一時中断してシート詰まりエラーを発生する。
【００７６】
ステップＳ５２０３は錠剤取出ユニット１が取り出そうとする錠剤が存在しているかをチェックするステップである。錠剤が存在しない場合（錠剤不足エラーあり）はステップＳ５２０４へ遷移する。そうでない場合（錠剤不足エラーなし）はステップＳ５２０５へ遷移する。つまり、ここでは錠剤取出ユニット１内で取出動作中の錠剤シートでエラーが発生したか否かを判断している（エラー判断手段）。
【００７７】
ステップＳ５２０４はエラー情報に錠剤不足エラーを登録するステップである。錠剤不足エラーとは、取出動作中に錠剤シートが不足している場合に発生するエラーである。
【００７８】
具体的には、取出動作を開始する前に錠剤シートの投入口に置いた錠剤シートを錠剤取出ユニット１内に引き込む動作を行う。引き込む動作は錠剤シートの投入口にある下部ローラ３８が回転して行う。次に錠剤シートが取出位置まで搬送されてから取出動作を始める。取出動作を行っている際に、取り出そうとしている錠剤が静電気を帯びている為に錠剤が錠剤収容部内にくっついてしまい、錠剤がうまく取り出せない場合や、取り出した際に破かれたアルミに錠剤が乗ってしまった為に錠剤が落ちなくて錠剤がうまく取り出せない場合がある。この場合、取出動作は所定回数の取出リトライ動作を行うが、所定回数を超えると、スキップしてその次の錠剤収容部の取出動作を行うために、指定された数の錠剤シートをセットしたにもかかわらず、下部ローラ３８は錠剤シートを内部へ引きこもうとするが、最終的に投入口に置かれた錠剤シートが足りなくなってしまったために、下部ローラ３８が既定の回数または時間で進行方向へ回転させても、錠剤位置検出機構１７は反応しない。このように錠剤位置検出機構１７が一度も反応しなかった場合には、包装装置５は錠剤取出ユニット１のエラーを検出して包装動作を中断して錠剤不足エラーを発生（発信）させる。
【００７９】
ステップＳ５２０５は、錠剤取出ユニット１が錠剤シートより錠剤を取り出そうとしたときに、錠剤過多エラーが発生したかをチェックするステップである。錠剤過多エラーが発生した場合はステップＳ５２０６へ遷移する。そうでない場合はステップＳ５２０７へ遷移する。つまり、ここでは錠剤取出ユニット１内で取出動作中の錠剤シートでエラーが発生したか否かを判断している（第３のエラー判断手段）。
ステップＳ５２０６は、エラー情報に錠剤過多エラーを登録するステップである。
【００８０】
錠剤落下検知機構２０４は、取出処理をしている状態では、指定数以上の取り出し、アルミ片（異物）、錠剤の破損を検知することができる。すなわち錠剤落下検知機構２０４の入力にＯＮ／ＯＦＦの切り替えがあった回数により、正しく錠剤の取り出しに成功したか、あるいは、指定数以上の取り出し、アルミ片混入、錠剤の破損の問題が発生したかを判断することができる。
【００８１】
ここで錠剤過多エラーとは、ＯＮ／ＯＦＦ切り替えが１回の場合、正しく１錠分の錠剤のみが取り出され取り出し成功であると判断する。一方、ＯＮ／ＯＦＦ切り替えが２回以上あった場合には、アルミ片の混入、錠剤の破損、指定数以上の取り出しが発生したと判断する。包装装置５は錠剤取出ユニット１のエラーを検出して包装動作を中断して錠剤過多エラーを発生（発信）させる。
【００８２】
ステップＳ５２０７は、Ｓ５２０１、Ｓ５２０３、Ｓ５２０５の各ステップのエラーチェックでエラーがあったかをチェックするステップである。エラーがある場合はＳ５１０５へ遷移する。そうでない場合はステップＳ５２０８へ遷移する。
ステップＳ５２０８は、エラー情報にエラーなしを登録するステップである。
図９を説明する。
【００８３】
図９は、情報処理装置３００が記憶している薬品マスタのデータベース内容を示す図である。薬剤マスタのデータベースファイル内の１行ごとに錠剤データが記憶されている。１つの薬剤と対応づけて一意に対応する各種関連情報を持つことが出来き、各薬剤に対して各種関連情報設定を登録することが出来る。図９は、エラー情報を保存するデータベースである。１行は１つの薬品を表しており、複数行登録できる。各項目のカウントが０の場合、過去にエラーが発生していない状態を表している。
５３０１は薬品（錠剤）の薬品名（販売名）である。
５３０２は錠剤過多が発生して、データベースに登録されたカウント（発生回数）である。
５３０３は錠剤不足が発生して、データベースに登録されたカウント（発生回数）である。
５３０４はシート詰まりが発生して、データベースに登録されたカウント（発生回数）である。
このように、エラー情報を保存するデータベースでは、錠剤取出ユニット１で取り出しする錠剤シートのエラーデータが記憶されている（記憶手段）。
【００８４】
図１０は、ユーザが情報処理装置上で処方内容を入力する際、錠剤取出ユニットの番号１に薬品名を選択する際、データベース（図１５）を参照して、そのＰＴＰシートを錠剤取出ユニットの番号１から供給しようとした場合、過去に錠剤過多エラーが存在した場合（再発時）に表示する確認画面である。
尚変形例として、確認画面は包装装置５本体の表示部５０１に表示されてもよい。
【００８５】
このように、Ｓ５００６においてあると判断した場合には、Ｓ５００４において受け付けた錠剤シートでは過去に錠剤取出ユニット内で取出動作中にエラーが発生したことがあることや、その理由５４０３（錠剤過多、錠剤不足、シート詰まり等）を、確認画面で通知することができる（エラー通知手段）。なお、ここで、取出動作中にエラーが発生したことを通知する方法は、画面で通知してもよく、音声案内により通知してもよく、点灯するＬＥＤを用いた表示体により通知してもよい。
【００８６】
５４０１は、はいボタンである。はいボタンが押下された場合には、過去にエラーが発生したことをユーザは認識しているが、発生頻度が少ないことユーザは認識しているので、そのままの錠剤取出ユニットの番号のままで設定される。
【００８７】
５４０２は、いいえボタンである。いいえ（手撒きする）ボタンが押下された場合には、ユニット設定がキャンセルされ、錠剤取出ユニットの１番からの供給から、手撒き（錠剤マス）から供給する処方データに自動で振り替えることができる。
【００８８】
５４０４は、いいえボタンである。いいえ（別のユニットに変更）ボタンが押下された場合には、当初設定した錠剤取出ユニットの１番から、過去にエラーが発生していない別の錠剤取出ユニットの番号に設定を振り替えることができる。
【００８９】
図１１は、分包動作中に錠剤取出ユニット１でエラーが発生した場合、データベースを参照して過去にエラーが存在しない場合の新規発生時に表示する新規エラー画面である。
尚変形例として、新規エラー画面は包装装置５本体の表示部５０１に表示されてもよい。
【００９０】
このように、Ｓ５１０９においてない（新規エラーである）と判断した場合には、錠剤取出ユニット１内で取出動作中の錠剤シートでは初めてエラーが発生したことや、その理由５５０３（錠剤過多、錠剤不足、シート詰まり等）を画面で通知することができる（新規通知手段）。なお、ここで、取出動作中の錠剤シートでは初めてエラーが発生したことを通知する方法は、画面で通知してもよく、音声案内により通知してもよく、点灯するＬＥＤを用いた表示体により通知してもよい。
【００９１】
さらにこの時には、錠剤取出ユニット内で取出動作中の錠剤シートの取出動作を継続するか否かをユーザに選択させる画面も通知している（第１の継続通知手段）。
５５０１は、はいボタンである。はいボタンが押下された場合には、取出動作中の錠剤シートの取出動作を継続する。
５５０２は、いいえボタンである。いいえボタンが押下された場合には、取出動作中の錠剤シートの取出動作を中止する。
【００９２】
図１２は、分包動作中に錠剤取出ユニット１でエラーが発生した場合、データベースを参照して過去にエラーが存在した場合の再発時に表示する再発生エラー画面である。
尚変形例として、再発生エラーは包装装置５本体の表示部５０１に表示されてもよい。
【００９３】
このように、Ｓ５１０９においてある（再発生エラーである）と判断した場合には、錠剤取出ユニット１内で取出動作中の錠剤シートでエラーが発生した履歴５６０４（発生頻度、過去発生回数、発生日時等）やその理由５６０３（錠剤過多、錠剤不足、シート詰まり等）を画面で通知することができる（履歴通知手段）。
【００９４】
なお、ここで、取出動作中の錠剤シートでエラーが発生した履歴を通知する方法は、画面で通知してもよく、音声案内により通知してもよく、点灯するＬＥＤを用いた表示体により通知してもよい。
【００９５】
さらにこの時には、錠剤取出ユニット内で取出動作中の錠剤シートの取出動作を継続するか否かをユーザに選択させる画面も通知している（第２の継続通知手段）。
５６０１は、はいボタンである。はいボタンが押下された場合には、取出動作中の錠剤シートの取出動作を継続する。
５６０２は、いいえボタンである。いいえボタンが押下された場合には、取出動作中の錠剤シートの取出動作を中止する。
図１３を説明する。
【００９６】
図１３は情報処理装置３００に表示される処方編集画面を示す図である。この処方編集画面では使用する錠剤取出ユニットから供給する処方データの設定を行うことができる。
尚変形例として、処方編集画面は包装装置５本体の表示部５０１に表示されてもよい。
５７０１はＯＫボタンであり、押下すると完了した処方編集を保存してメイン操作画面へ戻る。
【００９７】
５７０２は錠剤取出ユニット毎に処方データを設定する欄である。処方編集画面上での錠剤取出ユニットの配列は錠剤供給装置１０の錠剤取出ユニット１の配列と一致している。処方データを設定する錠剤取出ユニットのボタンを押下することで設定を行うことができる。この処方編集画面の例では錠剤取出ユニットの番号１が選択された状態である。また、選択された状態であれば、各ユニットのボタン上に薬品名（錠剤Ｄ等）と各服用時期での錠剤数（１−１−１等）も併せて表示される。錠剤取出ユニット１を表すボタンであり、実際の錠剤取出ユニット１と対応して表示している。錠剤取出ユニット１ボタンを選択すると、ピンク色に変わり、選択ＯＮ（分包動作時に動作させる）状態に切り替わる。
【００９８】
５７０３は薬品名の選択ボタンである。押下すると薬品名の選択画面に移行し、直近に押下した錠剤取出ユニットのボタンのユニット番号に対応づけた薬品名を選択することになる。このようにして、錠剤数（１−１−１等）で１包化する錠剤種別を受け付けている
次に実施形態を説明する。
図６のフローチャートを元に説明する。前提条件として、データベース（図９）内の各カウント数は０が設定されていることを仮定とする。
【００９９】
まず初めに、ユーザは情報処理装置３００上で処方の入力を行う。例として、分３毎食後、１４日分（４２包）、等である。次に、錠剤取出ユニット１の設定画面（図１３）を表示させて、錠剤取出ユニット１（Ｎｏ１）のボタンをクリックして選択ＯＮ状態にする。続けて、錠剤取出ユニット１（Ｎｏ１）に薬品名「錠剤Ｄ」を設定する。この時、ステップＳ５００５において、薬品名「錠剤Ｄ」をデータベース内より検索して、各項目のカウント数がいずれかにおいて１以上であるかをチェックする。ここでは、薬品名「錠剤Ｄ」は仮定が設定されているので、各カウントともに０である。このため、ステップＳ５００６では「エラーなし」と判断するため、ステップＳ５０１１へ遷移して薬品名「錠剤Ｄ」が錠剤取出ユニット１（Ｎｏ１）に設定される。この時の状態は図１３で示されている。
上記、ユーザによる処方内容の入力内容が終わり内容を確定するため、５７０１をクリックして処方内容を確定させる。
【０１００】
次に、ユーザは入力した処方内容に従った薬剤を実際の分包機および錠剤取出ユニット１（Ｎｏ１）にセットする。ここでは、薬品名「錠剤Ｄ」の錠剤シートを錠剤取出ユニット１（Ｎｏ１）にセットする。
【０１０１】
次に、図７を元に説明する。ステップＳ５１０１では、ユーザは情報処理装置上より、確定した処方内容に従った分包動作を開始させる。分包機は受け取った処方内容および分包開始指示（スタートコマンド）により実際の分包動作を開始する。分包動作は分包動作が完了するまでステップＳ５１０４以降をループして順次処理を行っている。
【０１０２】
次に、図７と図８を元に錠剤過多エラーが発生した場合の説明をする。分包動作を開始したが、分包動作中に錠剤取出ユニット１（Ｎｏ１）で錠剤過多エラーが発生した場合の手順を説明する。ステップＳ５１０４では、図８を実行して、ステップＳ５２０５で錠剤過多の発生を検出したため、ステップＳ５２０７へ遷移する。ステップＳ５２０７では、錠剤過多エラーが発生しているため、そのまま終了処理へ遷移する。
【０１０３】
図７に戻り、ステップＳ５１０５では、錠剤過多エラーがある為、ステップＳ５１０６へ遷移する。以降順次ステップが実行されて、ステップＳ５１０９が実行される。ステップＳ５１０９では、錠剤取出ユニット１（Ｎｏ１）に設定されている「錠剤Ｄ」について、データベース内より検索する。この時点では、検索された薬品名「錠剤Ｄ」の各項目のカウントは全て０であるため、新規エラーと判断される。
この際、データベース内の「錠剤Ｄ」の錠剤過多カウントを＋１にして保存される。この状態は、図９で示されている。
【０１０４】
ステップＳ５１１１に進み、新規エラー画面（図１１）を表示する。ユーザは、はいボタン５５０１をクリックして、ステップＳ５１１６の分包動作を再開させる。
分包動作を再開後、指定した処方内容分の分包動作が完了する。
次に、次の処方内容をユーザが入力する場合の手順を図６で示す。ここでは便宜上、前回と同じ処方内容を入力するものとする。
【０１０５】
ユーザが処方内容をステップＳ５００４まで入力する。この際、薬品名「錠剤Ｄ」を選択する。ステップＳ５００５では、データベース（図９）内より薬品名「錠剤Ｄ」を検索し、各項目のカウント数をチェックする。ここでは、錠剤過多カウントが１である為、ステップＳ５００６では「エラーあり」の判断をする。ステップＳ５００７に遷移して、確認画面（図１０）を表示する。
【０１０６】
ユーザは確認画面（図１０）上の、いいえボタン５４０２をクリックする。この際、事前に選択した錠剤取出ユニット１（Ｎｏ１）の選択状態を自動でＯＦＦにできてもよい。
【０１０７】
ユーザは、錠剤取出ユニット１（Ｎｏ１）のボタンを選択ＯＦＦに設定する。この場合、Ｎｏ１にセットしようとした薬品名「錠剤Ｄ」は、ユーザが錠剤マスに手撒きすることになる。処方内容を確定させる。
次にユーザは、分包機の錠剤マスに薬品名「錠剤Ｄ」の錠剤を手動でセットして、分包動作指示を行う。
図１４を説明する。
図１４は錠剤供給装置１０の内部構造を示す図である。なお錠剤供給装置１０を背面側から見た図である。
【０１０８】
錠剤落下検知機構２０４は、光学センサ（ビームセンサ）であり、落下物を検知するものである。取出された錠剤が導入シュート２４内を落下する際に、落下した錠剤は光学センサ上を通過し光学センサを遮光する。この光学センサが遮光された状態をＯＮ状態とし、遮光されていない状態をＯＦＦ状態とする。このＯＮ／ＯＦＦ状態を用いて落下物の判定を行っている。このように各錠剤取出ユニット１は、押圧により錠剤収容部４７から錠剤が取り出されたか否かを判定するために、取り出された錠剤を検知する錠剤落下検知機構２０４を有している。
【０１０９】
さらに、ＯＮ／ＯＦＦ状態が切り替わった回数を錠剤落下検知機構２０４にて計数（カウント）することで、錠剤収容部４７から取り出された錠剤の個数も計数（カウント）することができるこのように、錠剤供給装置１０は、錠剤落下検知機構２０４が所定の個数を超えた錠剤の個数を計数した場合には、包装装置５にエラー処理（過剰落下等）を実行させるように要求することができる。
さらに、錠剤供給装置１０は、錠剤取出機構１５が現在取出動作中であるか否かを判断することができる。
【０１１０】
取出動作中であると判断されている場合に錠剤収容部から取り出された錠剤の個数を計数することで、錠剤供給装置１０は取出動作による異物（アルミ片等）の混入や過剰落下や錠剤割れを検知することができる。取出動作中であると判断されている場合には、錠剤落下検知機構２０４には上記所定の個数が１錠に設定変更される。
【０１１１】
また取出動作中ではないと判断されている場合に錠剤収容部から取り出された錠剤の個数を計数することで、取出動作によらない取出しミスを検知することができる。取出動作中ではないと判断されている場合には、錠剤落下検知機構２０４には上記所定の個数が０錠に設定変更される。
図１５を説明する。
【０１１２】
図１５は、情報処理装置３００が記憶している薬品マスタのデータベース内容（その他の変形例）を示す図である。薬剤マスタのデータベースファイル内の１行ごとに錠剤データが記憶されている。１つの薬剤と対応づけて一意に対応する各種関連情報を持つことが出来き、各薬剤に対して各種関連情報設定を登録することが出来る。図１５は、錠剤種別（ＰＴＰシート種別）と錠剤過多エラーが発生した錠剤取出ユニットの番号を対応づけたデータベースである。１行は１つの薬品を表しており、複数行登録できる。各項目のカウントが０の場合、過去に、その錠剤取出ユニットの番号では、錠剤過多エラーが過去に発生していない状態を表している。
つまり、図１１の画面で「はい」が押下された場合に、データベース内の該当する錠剤取出ユニットの番号の欄に、１が新規に登録される。
つまり、図１２の画面で「はい」が押下された場合に、データベース内の該当する錠剤取出ユニットの番号の欄に、＋１がカウントアップされて更新される。
６３０１は薬品（錠剤）の薬品名（販売名）である。
６３０２は錠剤取出ユニットの１番で錠剤過多エラーが発生し、データベースに登録されたカウント（登録された回数）数である。
６３０３は錠剤取出ユニットの２番で錠剤過多エラーが発生し、データベースに登録されたカウント（登録された回数）数である。
５３０４は錠剤取出ユニットの３番で錠剤過多エラーが発生し、データベースに登録されたカウント（登録された回数）数である。
【０１１３】
また、同様のデータベースを、錠剤不足エラー、シート詰まりエラー毎にそれぞれ記憶することで、どのようなエラー種別がどの錠剤取出ユニットで発生したのかの履歴管理を、錠剤取出ユニット毎に管理することができ、錠剤取出ユニット毎のエラーの発生傾向も長期管理することも可能となる。
図１６を説明する。
【０１１４】
図１６は情報処理装置３００に表示される処方編集画面を示す図であるが。図１０の画面で「いいえ（別のユニットに変更）」が押下された場合に、自動で設定が変更された後の画面である。
【０１１５】
５７０４に示したように錠剤取出ユニット毎に処方データを設定する欄が、錠剤取出ユニットの１番（図１３が初期状態）から錠剤取出ユニットの２番に変更されている。これは図１５に示したデータベースに基づいて、錠剤取出ユニットの２番においては、過去に錠剤過多エラーが一回も発生していないと判断して、自動で過去に錠剤過多エラー発生していた錠剤取出ユニットの１番から処方データを書き換えたものである。このように、錠剤取出ユニットの２番に自動切り替えた状態となり、自動切り替え状態後も、各錠剤取出ユニットのボタン上に薬品名（錠剤Ｄ等）と各服用時期での錠剤数（１−１−１等）が併せて表示される。  
【０１１６】
またその他の変形例として、図１０の画面で「いいえ（別のユニットに変更）」が押下された場合に図示しない操作画面を表示されて、過去に錠剤過多エラーが一回も発生していない錠剤取出ユニットの番号を一旦ユーザに通知してから、ユーザに錠剤取出ユニットの番号を選択させて、被振り替えする錠剤取出ユニットの番号を手動で確定してもよい。
【０１１７】
本発明を実現するために、情報処理装置３００が実行するプログラムは、外部メモリ３６に記録されており、必要に応じてＲＡＭ３３にロードされることによりＣＰＵ３０によって実行されるものである。さらに、上記プログラムの実行時に用いられるデータファイル及びデータテーブル等も、外部メモリ３６または記憶部に格納されている。
【０１１８】
本発明を実現するために、包装装置５が実行するプログラムは、ＲＯＭ５２に記録されており、必要に応じてＲＡＭ５３にロードされることによりＣＰＵ５１によって実行されるものである。さらに、上記プログラムの実行時に用いられるデータファイル及びデータテーブル等も、ＲＯＭ５２または記憶部に格納されている。
【０１１９】
本発明を実現するために、錠剤供給装置１０が実行するプログラムは、ＲＯＭ１４に記録されており、必要に応じてＲＡＭ１３にロードされることによりＣＰＵ１１によって実行されるものである。さらに、上記プログラムの実行時に用いられるデータファイル及びデータテーブル等も、ＲＯＭ１４または記憶部に格納されている。
【０１２０】
また、本発明におけるプログラムは、図６乃至図８フローチャートの処理を情報処理装置３００及び包装装置５及び錠剤供給装置１０が実行可能なプログラムであり、記憶媒体にプログラムとして記憶している。
（本発明の他の実施形態）
【０１２１】
以上のように、前述した実施形態の機能を実現するプログラムを記録した記録媒体を、包装装置５や錠剤供給装置１０に単独で供給し、包装装置５や錠剤供給装置１０内の制御コンピュータ（またはＣＰＵやＭＰＵ）によって、記録媒体に格納されたプログラムを読出し実行することによっても、本発明の目的が達成されることは言うまでもない。この場合、記録媒体から読み出されたプログラム自体が本発明の新規な機能を実現することになり、そのプログラムを記憶した記録媒体は本発明を構成することになる。
【０１２２】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１２３】
また、読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって、前述した実施形態の機能が実現される場合も含まれることは言うまでもない。さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２４】
このように、本発明は、複数の装置から構成されるシステムに適用しても、１つの装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１２５】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【０１２６】
１      錠剤取出ユニット
５      包装装置
１０    錠剤供給装置
４７    錠剤収容部
４８    錠剤
４９    錠剤シート
１７    錠剤位置検出機構
２０４  錠剤落下検知機構
【図１】
2018104102.tif 000003
【図２】
2018104102.tif 000004
【図３】
2018104102.tif 000005
【図４】
2018104102.tif 000006
【図５】
2018104102.tif 000007
【図６】
2018104102.tif 000008
【図７】
2018104102.tif 000009
【図８】
2018104102.tif 000010
【図９】
2018104102.tif 000011
【図１０】
2018104102.tif 000012
【図１１】
2018104102.tif 000013
【図１２】
2018104102.tif 000014
【図１３】
2018104102.tif 000015
【図１４】
2018104102.tif 000016
【図１５】
2018104102.tif 000017
【図１６】
2018104102.tif 000018
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
錠剤取出ユニットで取り出した錠剤を供給する錠剤供給システムであって、
前記錠剤取出ユニット内で前記錠剤の取出動作を行った結果、前記錠剤取出ユニット内でエラーが発生した錠剤種別と当該錠剤取出ユニットとの組み合わせを記憶する記憶手段と、
錠剤種別を受け付ける受付手段と、
前記受け付けた錠剤種別に関して、過去にエラーが発生した錠剤取出ユニットを前記組み合わせにより通知する通知手段と、
を備えることを特徴とする錠剤供給システム。
【請求項２】
前記過去にエラーが発生した錠剤取出ユニットから、前記受け付けた錠剤種別の錠剤を取り出す設定を振り替える設定画面を表示する表示手段と、
前記設定画面から、前記受け付けた錠剤種別の錠剤を前記過去にエラーが発生していない錠剤取出ユニットに振り替えが可能であることを特徴とする請求項１に記載の錠剤供給システム。
【請求項３】
手撒きの錠剤を供給する手撒き供給手段と、
前記過去にエラーが発生した錠剤取出ユニットから、前記受け付けた錠剤種別の錠剤を取り出す設定を振り替える設定画面を表示する表示手段と、
前記設定画面から、前記受け付けた錠剤種別の錠剤を前記手撒き供給手段から供給する設定に振り替えが可能であることを特徴とする請求項１または請求項２に記載の錠剤供給システム。
【請求項４】
錠剤取出ユニット内で前記錠剤の取出動作を行った結果、前記錠剤取出ユニット内でエラーが発生した錠剤種別と当該錠剤取出ユニットとの組み合わせを記憶する記憶手段を備え、前記錠剤取出ユニットで取り出した錠剤を供給する錠剤供給システムの制御方法であって、
錠剤種別を受け付ける受付工程と、
前記受け付けた錠剤種別に関して、過去にエラーが発生した錠剤取出ユニットを前記組み合わせにより通知する通知工程と、
を含むことを特徴とする制御方法。
【請求項５】
錠剤取出ユニットで取り出した錠剤を供給する錠剤供給システムで読み取り実行可能なプログラムであって、
前記錠剤供給システムを、
前記錠剤取出ユニット内で前記錠剤の取出動作を行った結果、前記錠剤取出ユニット内でエラーが発生した錠剤種別と当該錠剤取出ユニットとの組み合わせを記憶する記憶手段と、
錠剤種別を受け付ける受付手段と、
前記受け付けた錠剤種別に関して、過去にエラーが発生した錠剤取出ユニットを前記組み合わせにより通知する通知手段と、
して機能させるためのプログラム。
【請求項６】
錠剤取出ユニットで取り出した錠剤を供給する錠剤供給装置と通信可能に接続される情報処理装置であって、
前記錠剤取出ユニット内で前記錠剤の取出動作を行った結果、前記錠剤取出ユニット内でエラーが発生した錠剤種別と当該錠剤取出ユニットとの組み合わせを記憶する記憶手段と、
錠剤種別を受け付ける受付手段と、
前記受け付けた錠剤種別に関して、過去にエラーが発生した錠剤取出ユニットを前記組み合わせにより通知する通知手段と、
を備えることを特徴とする情報処理装置。
【請求項７】
錠剤取出ユニット内で前記錠剤の取出動作を行った結果、前記錠剤取出ユニット内でエラーが発生した錠剤種別と当該錠剤取出ユニットとの組み合わせを記憶する記憶手段を備え、前記錠剤取出ユニットで取り出した錠剤を供給する錠剤供給装置と通信可能に接続される情報処理装置の制御方法であって、
錠剤種別を受け付ける受付工程と、
前記受け付けた錠剤種別に関して、過去にエラーが発生した錠剤取出ユニットを前記組み合わせにより通知する通知工程と、
を含むことを特徴とする制御方法。
【請求項８】
錠剤取出ユニットで取り出した錠剤を供給する錠剤供給装置と通信可能に接続される情報処理装置で読み取り実行可能なプログラムであって、
前記情報処理装置を、
前記錠剤取出ユニット内で前記錠剤の取出動作を行った結果、前記錠剤取出ユニット内でエラーが発生した錠剤種別と当該錠剤取出ユニットとの組み合わせを記憶する記憶手段と、
錠剤種別を受け付ける受付手段と、
前記受け付けた錠剤種別に関して、過去にエラーが発生した錠剤取出ユニットを前記組み合わせにより通知する通知手段と、
して機能させるためのプログラム。
【手続補正３】
【補正対象書類名】明細書
【補正対象項目名】０００１
【補正方法】変更
【補正の内容】
【０００１】
本発明は、錠剤供給システム、情報処理装置、その制御方法及びプログラム
【手続補正４】
【補正対象書類名】明細書
【補正対象項目名】０００５
【補正方法】変更
【補正の内容】
【０００５】
本発明は、受け付けた錠剤種別に関して、過去にエラーが発生した錠剤取出ユニットを事前通知することが可能な仕組みを提供することを目的とする。
【手続補正５】
【補正対象書類名】明細書
【補正対象項目名】０００６
【補正方法】変更
【補正の内容】
【０００６】
本発明は、錠剤取出ユニットで取り出した錠剤を供給する錠剤供給システムであって、前記錠剤取出ユニット内で前記錠剤の取出動作を行った結果、前記錠剤取出ユニット内でエラーが発生した錠剤種別と当該錠剤取出ユニットとの組み合わせを記憶する記憶手段と、錠剤種別を受け付ける受付手段と、前記受け付けた錠剤種別に関して、過去にエラーが発生した錠剤取出ユニットを前記組み合わせにより通知する通知手段と、を備えることを特徴とする。
【手続補正６】
【補正対象書類名】明細書
【補正対象項目名】０００７
【補正方法】変更
【補正の内容】
【０００７】
本発明は、錠剤取出ユニットで取り出した錠剤を供給する錠剤供給装置と通信可能に接続される情報処理装置であって、前記錠剤取出ユニット内で前記錠剤の取出動作を行った結果、前記錠剤取出ユニット内でエラーが発生した錠剤種別と当該錠剤取出ユニットとの組み合わせを記憶する記憶手段と、錠剤種別を受け付ける受付手段と、前記受け付けた錠剤種別に関して、過去にエラーが発生した錠剤取出ユニットを前記組み合わせにより通知する通知手段と、を備えることを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
本発明により、受け付けた錠剤種別に関して、過去にエラーが発生した錠剤取出ユニットを事前通知することが可能な仕組みを提供することが可能となる。